(57)【要約】  【課題】  振動や異音、当接部の早期摩耗を抑制できるクラッチレリーズ軸受装置を提供する。  【解決手段】  ガイド軸９Ａがダイヤフラムスプリング先端の軸線に対して傾いて、いわゆるミスアライメントの角度成分が生じているような場合でも、ガイドスリーブ２０の内側部材２１ｂに対して、外側部材２１ａ及びフランジ部２２が、軸線に対して直交する軸周りに揺動することで、それに保持されたクラッチレリーズ軸受をの内輪１１が、クラッチ装置のダイヤフラムスプリング７の先端７ａに対して均等に当接するようになり、それにより振動や異音、当接部の早期摩耗を抑制することができる。【選択図】  図３
2006090359.tif 000002
【特許請求の範囲】
【請求項１】
互いに同心的に配置されかつ相対回転する内輪及び外輪と、両輪間を転動する転動体とを含み、一方の輪が固定され、回転する他方の輪がクラッチ装置の回転部材に当接するようになっているクラッチレリーズ軸受と、ガイド軸上に摺動自在に嵌合された円筒部と、フランジ部とを備える軸受保持部材と、該軸受保持部材に対して、該クラッチレリーズ軸受の一方の輪を半径方向に移動可能となるよう保持する連結部材とからなっているクラッチレリーズ軸受装置において、
前記軸受保持部材の円筒部は、フランジ部に接合された外側部材と、前記外側部材に対して摺動可能な内側部材とからなっており、前記外側部材が摺動する前記内側部材の外周面は、球面の一部であることを特徴とするクラッチレリーズ軸受装置。
【発明の詳細な説明】
【技術分野】
【０００１】
本発明は、車両等に用いられるクラッチレリーズ軸受装置に関する。
【背景技術】
【０００２】
車両等に搭載され摩擦板を用いた動力断続装置であるクラッチを動作させる場合において、レリーズ力の入力部材であるレリーズフォークでクラッチカバーのダイヤフラムスプリングを軸線方向に押圧することにより、スプリングの付勢力を摩擦板から解除して動力伝達の切り離しが行なわれている。
【０００３】
ところで、レリーズフォークは車体等の固定側に通常配置されているが、クラッチカバーはエンジンのフライホイール等に取り付けられてそれと一体的に回転するようになっている。従って、クラッチカバーのダイヤフラムスプリングをレリーズフォークが直に押圧するとなると、当接部の摩耗を招来することとなる。そこで、ダイヤフラムスプリングに当接して一体的に回転する回転輪を含むクラッチレリーズ軸受と、この軸受を所定の状態に保持すると共にレリーズフォークからの入力を受けるようになっている回転しない軸受保持部材とからなるクラッチレリーズ軸受装置を、ダイヤフラムスプリングとレリーズフォークとの間に設けている（特許文献１参照）。
【特許文献１】特開平９−１３７８３７８号公報
【発明の開示】
【発明が解決しようとする課題】
【０００４】
ここで、トランスミッションとエンジンとを連結する場合において、ガイド軸がダイヤフラムスプリング先端の軸線に対して傾く、いわゆるミスアライメントの角度成分が生じることがある。かかる場合、ダイヤフラムスプリングとクラッチレリーズ軸受とは互いに偏当たりし、それにより振動や異音、当接部の早期摩耗を引き起こすことがある。
【０００５】
本発明は、かかる従来技術の問題点に鑑みて成されたものであり、振動や異音、当接部の早期摩耗を抑制できるクラッチレリーズ軸受装置を提供することを目的とする。
【課題を解決するための手段】
【０００６】
上記目的を達成すべく、本発明のクラッチレリーズ軸受装置は、
互いに同心的に配置されかつ相対回転する内輪及び外輪と、両輪間を転動する転動体とを含み、一方の輪が固定され、回転する他方の輪がクラッチ装置の回転部材に当接するようになっているクラッチレリーズ軸受と、ガイド軸上に摺動自在に嵌合された円筒部と、フランジ部とを備える軸受保持部材と、該軸受保持部材に対して、該クラッチレリーズ軸受の一方の輪を半径方向に移動可能となるよう保持する連結部材とからなっているクラッチレリーズ軸受装置において、
前記軸受保持部材の円筒部は、フランジ部に接合された外側部材と、前記外側部材に対して摺動可能な内側部材とからなっており、前記外側部材が摺動する前記内側部材の外周面は、球面の一部であることを特徴とする。
【発明の効果】
【０００７】
本発明のクラッチレリーズ軸受装置によれば、前記軸受保持部材の円筒部が、フランジ部に接合された外側部材と、前記外側部材に対して摺動可能な内側部材とからなっており、前記外側部材が摺動する前記内側部材の外周面は、球面の一部であるので、ガイド軸がダイヤフラムスプリング先端の軸線に対して傾いて、いわゆるミスアライメントの角度成分が生じたような場合に、前記内側部材に対して前記外側部材が前記球面に沿って摺動し、軸線に対して直交する軸周りに揺動することで、前記フランジ部に保持された前記クラッチレリーズ軸受の回転輪がクラッチ装置のダイヤフラムスプリング先端に対して均等に当接するようになり、それにより振動や異音、当接部の早期摩耗を抑制することができる。
【発明を実施するための最良の形態】
【０００８】
以下、本発明の実施の形態を図面を参照して以下に詳細に説明する。図１は、本発明の実施の形態であるクラッチレリーズ軸受装置をクラッチ装置に組み付けた状態で示す断面図である。図１において、クラッチ装置は、主として、クラッチカバー組立体１と、クラッチディスク２とから構成されている。
【０００９】
不図示のエンジンに取り付けられたクラッチハウジングＨ内で、クラッチカバー組立体１は、クランクシャフトＣの後端に連結されたフライホイール４に固定されたクラッチカバー５と、クラッチカバー５の内側に配置されたプレッシャプレート６及びダイヤフラムスプリング７とを有している。ダイヤフラムスプリング７は、その半径方向中央部でクラッチカバー５に支持され、且つその外周縁近傍がプレッシャプレート６をフライホイール４側に圧接している。また、ダイヤフラムスプリング７は、径方向の中間部から内周部にかけて放射状のスリットを備えており、内周端部７ａがクラッチレリーズ軸受装置３に当接している。
【００１０】
クラッチディスク２は、その外周部である摩擦フェーシング２ａがフライホイール４とプレッシャプレート６との間で挟持されるようになっている。クラッチディスク２の中心には、トランスミッション側のメインドライブシャフト９がスプライン係合している。
【００１１】
クラッチハウジングＨの後方（図１の右側）には、不図示のトランスミッションが配置されている。クラッチディスク２にスプライン係合するメインドライブシャフト９の後部は、トランスミッション内に延びている。クラッチレリーズ軸受装置３は、ガイド軸９Ａの周囲に配置され、レリーズフォーク８に押されることで、軸線方向に移動可能に配置されている。
【００１２】
図２は、クラッチレリーズ軸受装置３をレリーズフォーク側から見た図である。図３は、図２の構成をIII-III線に沿って切断して矢印方向に見た軸線方向断面図である。図４は、ばね部材の斜視図である。
【００１３】
図３において、クラッチレリーズ軸受装置３は、クラッチレリーズ軸受１０と、軸受保持部材であるガイドスリーブ２０と、連結部材であるばね部材３０と、補強部材４０とからなる。クラッチレリーズ軸受１０は、左方端を当接部１１ａとする略円管状の内輪１１と、内輪１１を同心的に内包する二重円管状の外輪１２と、内輪１１と外輪１２との間に転動自在に配置された複数のボール１５と、ボール１５を所定間隔で保持する保持器１６と、ボール１５の軸線方向両側で内輪１１と外輪１２とにより画成される空間を防塵油密的に密封するシール１７、１８とからなる。内輪１１は外輪１２に対して回転自在に支持されている。また内輪１１の当接部１１ａは、図１に示すクラッチカバー５のダイヤフラムスプリング７に当接するようになっている。
【００１４】
一方、ガイドスリーブ２０はモールド成形された樹脂製であって、円管状の本体２１と、本体２１の中央近傍の外周から半径方向に延在するフランジ部２２と、フランジ部２２の半径方向外周から軸線方向に延在する制限部２３とが形成されている。
【００１５】
円筒部である本体２１は、フランジ部２２と一体である外側部材２１ａと、外側部材２１ａに対して摺動可能な内側部材２１ｂとからなっている。内側部材２１ｂは、ガイド軸９Ａの周囲に配置され、それに対して軸線方向に摺動する。外側部材２１ａの内周面２１ｃは、その軸線を中心とした球面の一部となっており、内側部材２１ｂの外周面２１ｄは、同じ曲率の球面の一部となっており、従って外側部材２１ａに内側部材２１ｂを嵌合させたとき、内周面２１ｃに対して外周面２１ｄが摺動することで、内側部材２１ｂに対し外側部材２１ａ及びフランジ部２２は、軸線に直交する任意の軸周りに揺動可能となっている。
【００１６】
なお、内側部材２１ｂの内方には拡径部２４が設けられている。この拡径部２４は、本体２１が摺動する際に異物を噛みこまないように機能するものである。また、クラッチレリーズ軸受１０を半径方向に移動可能とするため、制限部２３と外輪１２との間には隙間２７が形成されている。
【００１７】
図２より明らかなように、同一形状のものが２つ設けられたばね部材３０は、クラッチレリーズ軸受１０をガイドスリーブ２０に対して取り付ける機能を有する。ばね部材３０は、一枚のＳＫ５等のばね鋼板をプレスで打ち抜いた後折り曲げその後焼入処理することによって形成されている。ばね部材３０は、図４に示すように、ガイドスリーブ２０のフランジ部に当接するベース部３１と、軸受の外輪１２に当接する押圧部３２と、ベース部３１と押圧部３２との間に設けられ、押圧部３２に外輪１２を付勢するための弾性力を付与する梁部３３とからなっている。押圧部３２はシール１７に接触しないように、またばね部材３０の組付を容易にすべく、外方に傾斜した傾斜部３２ａを有する。
【００１８】
更にばね部材３０は、梁部３３の略中間において、半径方向に突出するように形成された凸部３４を有し、この凸部３４は、ガイドスリーブ２０のフランジ部２２（図３）の端部２２ｈに係合している。また、ベース部３１の両側部３１ａにおける下方端近傍においては、切欠き３７が形成され、更にベース部３１の中央には矩形開口３８が形成されている。
【００１９】
図３において、補強部材４０は、円筒部４１と、円筒部４１に連結された円板状のアンビル部４２とからなり、比較的肉厚の板をプレスし、その後焼入処理することによって形成される。これにより、入力部材であるレリーズフォーク８（図１）との接触部にて著しい摩耗が発生しないようにしている。また、アンビル部４２にチタン等のコーティングを施すことにより著しい摩耗を防ぐこともできる。円筒部４１は、ガイドスリーブ２０に取り付けられた際に本体２１に丁度嵌合する内径を有し、それにより補強部材４０の半径方向の位置決めが達成されるようになっている。
【００２０】
クラッチレリーズ軸受装置３の組付の際には、ガイドスリーブ２０の本体２１の周囲に、クラッチレリーズ軸受１０および補強部材４０を配置した後、図２の斜め右上方、斜め右下方から２つのばね部材３０を挿入する。ばね部材３０は外周の一方向から挿入できるようにしているため、組付が容易となっている。ばね部材３０は、ガイドスリーブ２０のフランジ部２２に設けた軸線方向突起２２ｃを弾性変形しながら乗り越えて、切欠き３７が突起２２ｃに係合し、且つ開口３８がガイドスリーブ２０のフランジ部２２に設けたストッパ２２ｇに当接することで、組み付けが完了する。
【００２１】
次に、本発明の実施の形態であるクラッチ装置及びクラッチレリーズ軸受装置の動作につき以下に説明する。運転者がクラッチペダルを踏むなどすることにより、図１に示すレリーズフォーク８が枢動し、その先端がクラッチレリーズ軸受装置３の補強部材４０のアンビル部４２に当接して一定の荷重を印加する（図２）。補強部材４０の板厚は比較的厚くその剛性も十分であるため、レリーズフォーク８より受ける大荷重を支持することができる。レリーズフォーク８とアンビル部４２とは滑り接触をするが、上述したようにアンビル部４２はチタン等のコーティング又は焼入処理されているので摩耗は小さく抑えられる。
【００２２】
図１において、クラッチレリーズ軸受装置３は、レリーズフォーク８からの入力によりガイド軸９Ａ上を軸線方向に摺動して、クラッチカバー５に支持されたダイヤフラムスプリング７（クラッチ装置の回転部材）に内輪１１の当接部１１ａを当接させる。ダイヤフラムスプリング７が回転していても、内輪１１は回転自在であるので、当接後にダイヤフラムスプリング７と一体で回転することとなる。更に軸受装置３が軸線方向に移動することによりダイヤフラムスプリング７が押圧されて、プレッシャプレート６をフライホイール４から離隔させるので、フライホイール４とクラッチプレート２の相対回転が許容されることとなり、エンジンからトランスミッションへの動力伝達の中断すなわちクラッチ動作が行われることとなる。
【００２３】
ばね部材３０は適切な板厚となっていて、ガイドスリーブ２０に対してクラッチレリーズ軸受１０を、押圧部３２と外輪１２との間に作用する摩擦力のみで支持しているため、クラッチレリーズ軸受１０はガイドスリーブ２０に対して半径方向に移動可能となっている。従って、内輪１１の当接部１１ａがダイヤフラムスプリングに当接したとき、両者の間に偏心があれば、クラッチレリーズ軸受１０を同心に位置させようとする公知の力が生じ、それによりクラッチレリーズ軸受１０は半径方向に移動して、自動調心が達成されることとなる。本実施の形態において、制限部２３は、クラッチレリーズ軸受１０が所定量以上半径方向外方に移動しないよう制限する機能を有する。
【００２４】
更に、本実施の形態によれば、ガイド軸９Ａがダイヤフラムスプリング先端の軸線に対して傾いて、いわゆるミスアライメントの角度成分が生じているような場合でも、ガイドスリーブ２０の内側部材２１ｂに対して、外側部材２１ａ及びフランジ部２２が、軸線に対して直交する軸周りに揺動することで、それに保持されたクラッチレリーズ軸受の内輪１１が、クラッチ装置のダイヤフラムスプリング７の先端７ａに対して均等に当接するようになり、それにより振動や異音、当接部の早期摩耗を抑制することができる。
【００２５】
以上、本発明を実施の形態を参照して説明してきたが、本発明は上記実施の形態に限定して解釈されるべきではなく、適宜変更・改良が可能であることはもちろんである。
【図面の簡単な説明】
【００２６】
【図１】本発明の実施の形態であるクラッチレリーズ軸受装置をクラッチ装置に組み付けた状態で示す断面図である。
【図２】本実施の形態であるクラッチレリーズ軸受装置をレリーズフォーク側から見た図である。
【図３】図２の構成をIII-III線に沿って切断して矢印方向に見た軸線方向断面図である。
【図４】ばね部材の斜視図である。
【符号の説明】
【００２７】
３  クラッチレリーズ軸受装置
１０  クラッチレリーズ軸受
２０  ガイドスリーブ
３０  ばね部材
４０  補強部材
【図１】
2006090359.tif 000003
【図２】
2006090359.tif 000004
【図３】
2006090359.tif 000005
【図４】
2006090359.tif 000006